(57)【要約】【課題】ステレオ再生やマルチチャンネル再生を行う複数スピーカの接続状態の判定を、より短時間に行うこと。【解決手段】音響装置１００は、スピーカＳＬに向けられたマイク１１０により取得される、スピーカＳＬから出力される第１の音データの再生音と、スピーカＳＲから出力される第２の音データの再生音と、の混合音のデータを取得する音データ取得部と、前記混合音のデータと前記第１の音データとの類似性を示す第１の類似度、及び前記混合音のデータと前記第２の音データとの類似性を示す第２の類似度をそれぞれ計算する計算部と、前記第１の類似度及び前記第２の類似度に基づいて、スピーカＳＬ及びスピーカＳＲの接続状態を判定する判定部と、を含む。【選択図】図１
2019161292.tif 000002
【特許請求の範囲】
【請求項１】
第１のスピーカに向けられた収音装置により収音される、前記第１のスピーカから出力される第１の音データの再生音と、第２のスピーカから出力される第２の音データの再生音と、の混合音のデータを取得する音データ取得部と、
前記混合音のデータと前記第１の音データとの類似性を示す第１の類似度、及び前記混合音のデータと前記第２の音データとの類似性を示す第２の類似度をそれぞれ計算する計算部と、
前記第１の類似度及び前記第２の類似度に基づいて、前記第１のスピーカ及び前記第２のスピーカの接続状態を判定する判定部と、
を含むスピーカの接続状態判定システム。
【請求項２】
請求項１に記載の接続状態判定システムにおいて、
前記第１及び第２の音データは、それぞれ、音楽コンテンツ又は映像コンテンツに含まれる複数のチャンネルの音データのいずれかである、接続状態判定システム。
【請求項３】
請求項１又は２に記載の接続状態判定システムにおいて、
前記計算部は、前記混合音データ、前記第１の音データ及び前記第２の音データの低周波数スペクトルを抑制する周波数フィルタ処理を行うとともに、低周波数スペクトルが抑制された前記混合音データ、前記第１の音データ及び前記第２の音データに基づいて、前記第１の類似度及び前記第２の類似度を計算する、接続状態判定システム。
【請求項４】
請求項１乃至３のいずれかに記載の接続状態判定システムにおいて、
前記判定部は、前記第１の類似度と前記第２の類似度とを比較し、比較結果に基づいて、前記第１のスピーカ及び前記第２のスピーカの接続状態を判定する、接続状態判定システム。
【請求項５】
請求項１乃至４のいずれかに記載の接続状態判定システムにおいて、
前記収音装置は指向性を有する、接続状態判定システム。
【請求項６】
請求項１乃至５のいずれかに記載の接続状態判定システムにおいて、
前記判定部の判定に応じて、前記第１の音データの再生音を第２のスピーカから出力し、前記第２の音データの再生音を第１のスピーカから出力する切替部をさらに含む、接続状態判定システム。
【請求項７】
請求項１乃至６のいずれかに記載の接続状態判定システムにおいて、
前記計算部は、前記第１の音データと前記第２の音データのとの類似性を示す第３の類似度を算出し、
前記判定部は、前記第３の類似度が所定値よりも低い場合に、前記混合音のデータと前記第１の音データとの類似性を示す第１の類似度、及び前記混合音のデータと前記第２の音データとの類似性を示す第２の類似度に基づいて、前記第１のスピーカ及び前記第２のスピーカの接続状態を判定する、接続状態判定システム。
【請求項８】
第１のスピーカに向けられた収音装置により収音される、前記第１のスピーカから出力される第１の音データの再生音と、第２のスピーカから出力される第２の音データの再生音と、の混合音のデータを取得する音データ取得部と、
前記混合音のデータと前記第１の音データとの類似性を示す第１の類似度、及び前記混合音のデータと前記第２の音データとの類似性を示す第２の類似度をそれぞれ計算する計算部と、
前記第１の類似度及び前記第２の類似度に基づいて、前記第１のスピーカ及び前記第２のスピーカの接続状態を判定する判定部と、
を含む音響装置。
【請求項９】
第１のスピーカに向けられた収音装置により取得される、前記第１のスピーカから出力される第１の音データの再生音と、第２のスピーカから出力される第２の音データの再生音と、の混合音のデータを取得するステップと、
前記混合音のデータと前記第１の音データとの類似性を示す第１の類似度、及び前記混合音のデータと前記第２の音データとの類似性を示す第２の類似度をそれぞれ計算するステップと、
前記第１の類似度及び前記第２の類似度に基づいて、前記第１のスピーカ及び前記第２のスピーカの接続状態を判定するステップと、
を含むスピーカの接続状態判定方法。
【発明の詳細な説明】
【技術分野】
【０００１】
本開示はスピーカの接続状態判定システム、音響装置及びスピーカの接続状態判定方法に関する。
【背景技術】
【０００２】
下記特許文献１には、複数のスピーカを備えるマルチチャンネル再生システムが開示されている。この特許文献１におけるマルチチャンネル再生システムは、インパルス性の測定音を複数のスピーカから一つずつ順に出力させ、出力される音を複数の位置で収音することにより、それら複数のスピーカの位置を判定している。スピーカの位置が判れば、各スピーカに再生音のチャンネルを正しく割当てることができる。
【先行技術文献】
【特許文献】
【０００３】
【特許文献１】国際公開第２００８／１２６１６１号
【発明の概要】
【発明が解決しようとする課題】
【０００４】
しかし、従来の構成においては、各スピーカの位置を判定するために、複数のスピーカから一つずつ順に測定音を出力させる必要があり、判定に時間が掛かってしまう。この結果、スピーカにチャンネルを割当てるのに時間も掛かってしまう。
【０００５】
本開示は、上記背景に鑑みてなされたものであり、その目的は、ステレオ再生又はマルチチャンネル再生を行う複数のスピーカの現在の音響装置への接続状態を短時間で判定することである。
【課題を解決するための手段】
【０００６】
本開示に係るスピーカの接続状態判定システムは、第１のスピーカに向けられた収音装置により収音される、前記第１のスピーカから出力される第１の音データの再生音と、第２のスピーカから出力される第２の音データの再生音と、の混合音のデータを取得する音データ取得部と、前記混合音のデータと前記第１の音データとの類似性を示す第１の類似度、及び前記混合音のデータと前記第２の音データとの類似性を示す第２の類似度をそれぞれ計算する計算部と、前記第１の類似度及び前記第２の類似度に基づいて、前記第１のスピーカ及び前記第２のスピーカの接続状態を判定する判定部と、を含む。
【０００７】
本開示に係る音響装置は、第１のスピーカに向けられた収音装置により収音される、前記第１のスピーカから出力される第１の音データの再生音と、第２のスピーカから出力される第２の音データの再生音と、の混合音のデータを取得する音データ取得部と、前記混合音のデータと前記第１の音データとの類似性を示す第１の類似度、及び前記混合音のデータと前記第２の音データとの類似性を示す第２の類似度をそれぞれ計算する計算部と、前記第１の類似度及び前記第２の類似度に基づいて、前記第１のスピーカ及び前記第２のスピーカの接続状態を判定する判定部と、を含む。
【０００８】
本開示に係るスピーカの接続状態判定方法は、第１のスピーカに向けられた収音装置により取得される、前記第１のスピーカから出力される第１の音データの再生音と、第２のスピーカから出力される第２の音データの再生音と、の混合音のデータを取得するステップと、前記混合音のデータと前記第１の音データとの類似性を示す第１の類似度、及び前記混合音のデータと前記第２の音データとの類似性を示す第２の類似度をそれぞれ計算するステップと、前記第１の類似度及び前記第２の類似度に基づいて、前記第１のスピーカ及び前記第２のスピーカの接続状態を判定するステップと、を含む。
【図面の簡単な説明】
【０００９】
【図１】図１は、部屋におけるスピーカ及びマイクの配置例を示す模式図である。
【図２】図２（ａ）は、サラウンド・レフトスピーカから出力される音の波形を示す図であり、図２（ｂ）は、サラウンド・ライトスピーカから出力される音の波形を示す図であり、図３（ｃ）は、マイクで収音される混合音の波形を示す図である。
【図３】図３は、音響装置のハードウェア構成例を示す図である。
【図４】図４は、音響装置に含まれるＣＰＵを機能的に示すブロック図である。
【図５】図５は、音響装置によるスピーカの接続状態判定処理を示すフロー図である。
【図６】図６は、音響装置によるスピーカの接続状態判定処理の変形例を示すフロー図である。
【発明を実施するための形態】
【００１０】
図１は、本開示に係るスピーカの接続状態判定システムを備えたＡＶ（Audio & Visual）システムを示す模式図である。このＡＶシステムは、家庭内のＡＶ視聴スペースに設置されており、ＡＶレシーバなどの音響装置１００、及び該音響装置１００に接続されたフロント・レフトスピーカＦＬ、フロント・ライトスピーカＦＲ、センタースピーカＣ、サラウンド・レフトスピーカＳＬ、サラウンド・ライトスピーカＳＲを含んでいる。視聴者であるユーザＵは、スペースの中央付近に位置しており、その周囲にこれらスピーカが配置されている。音響装置１００には、サブウーファなどの他のスピーカがさらに接続されてよい。また、音響装置１００には可搬型の指向性マイク１１０が接続されており、ユーザＵの近くに配置されている。音響装置１００は、映像又は音楽といったコンテンツを再生し、そのコンテンツに含まれる複数チャネルの音を、それぞれのチャネルに対応するスピーカから出力させるものである。なお、指向性マイク１１０は床やテーブルに設置されてもよいし、ユーザＵにより手持ちされてもよい。
【００１１】
ここで、フロント・レフトスピーカＦＬはユーザＵの前方左側に、フロント・ライトスピーカＦＲはユーザＵの前方右側に、センタースピーカＣはユーザＵの前方中央に、それぞれ配置されている。フロント・レフトスピーカＦＬ、フロント・ライトスピーカＦＲ、及びセンタースピーカＣは、別個独立したスピーカであってもよく、あるいは、例えばサウンドバーとして一体的に構成されてもよい。
【００１２】
また、サラウンド・レフトスピーカＳＬはユーザＵの後方左側に、サラウンド・ライトスピーカＳＲはユーザＵの後方右側に、それぞれ配置されている。
【００１３】
音響装置１００は複数チャンネルのそれぞれに対応するスピーカ端子を備えており、上記５つのスピーカは、それぞれ対応するスピーカ端子に接続される。これらスピーカには、音響装置１００から、映像や音楽などの１つのコンテンツに含まれている、それぞれ異なるサウンドチャンネルの音響信号が送られており、それぞれ対応するチャネルの音を出力する。なお、音響装置１００は、図１に示す５つのスピーカと、図示しないサブウーファとにより、５．１チャンネルのマルチチャンネル再生を行ってよい。
【００１４】
本開示において、音響装置１００は特に、マイク１１０で収録される音のデータ、及び再生コンテンツに含まれる各チャネルの音のデータに基づいて、スピーカの接続状態を判定する、スピーカ接続状態判定処理を行う。すなわち、音響装置１００は、本開示に係るスピーカの接続状態判定システムを含んでいる。なお、ここでは５つスピーカを含むＡＶシステムにおいてスピーカ接続状態判定処理を行う例について説明する。しかし、２以上の任意の数のスピーカを含むＡＶシステムに、本開示に係るスピーカの接続状態判定システム及び方法は同様にして適用されてよい。
【００１５】
サラウンド・レフトスピーカＳＬが、音響装置１００の図示しないスピーカ端子のうちサラウンド・レフト（ＳＬ）端子に正しく接続され、サラウンド・ライトスピーカＳＲが、音響装置１００のスピーカ端子のうちサラウンド・ライト（ＳＲ）端子に正しく接続されていれば、サラウンド・レフトスピーカＳＬからはサラウンド・レフト（ＳＬ）チャンネルの音が出力され、サラウンド・ライトスピーカＳＲからはサラウンド・ライト（ＳＲ）チャンネルの音が出力される。しかし、誤って、サラウンド・レフトスピーカＳＬがＳＲ端子に接続され、サラウンド・ライトスピーカＳＲがＳＬ端子に接続されていれば、サラウンド・レフトスピーカＳＬからはＳＲチャンネルの音が出力され、サラウンド・ライトスピーカＳＲからはＳＬチャンネルの音が出力される。
【００１６】
そこで、音響装置１００によるスピーカ接続状態判定処理では、ユーザＵがマイク１１０を所期のスピーカ（ここではサラウンド・レフトスピーカＳＬ）に向けていることを前提に、マイク１１０で収録される音のデータ、及び再生コンテンツに含まれるＳＬ及びＳＲチャネルの音のデータに基づき、サラウンド・レフトスピーカＳＬ及びサラウンド・ライトスピーカＳＲの接続状態に関する情報を生成する。具体的には、マイク１１０の前方にサラウンド・レフトスピーカＳＬが配置され、且つマイクの前方以外にサラウンド・レフトスピーカＳＬから離間してサラウンド・ライトスピーカＳＲが配置されているか否かの判定を実施する。この判定が肯定的であれば、サラウンド・レフトスピーカＳＬとサラウンド・ライトスピーカＳＲは音響装置１００に正しく接続されていると判断する。
【００１７】
一方、前記判定が否定的であれば、サラウンド・レフトスピーカＳＬとサラウンド・ライトスピーカＳＲは音響装置１００に誤って接続されていると判断する。この場合、音響装置１００は、サラウンド・レフトスピーカＳＬが接続されているＳＲ端子からＳＬチャンネルの音信号を出力し、サラウンド・ライトスピーカＳＲが接続されているＳＬ端子からＳＲチャンネルの音信号を出力する。こうして、音響装置１００に誤って接続されていたとしても、各位置のスピーカから正しいチャンネルの音を出力させることができる。
【００１８】
ここで、スピーカ接続状態判定処理の原理について説明する。サラウンド・レフトスピーカＳＬから出力される音が図２（ａ）に示す波形を有し、サラウンド・ライトスピーカＳＲから出力される音が同図（ｂ）に示す波形を有する場合、マイク１１０により収音される音は同図（ｃ）に示す波形を有する。マイク１１０は、サラウンド・レフトスピーカＳＬから出力される音と、サラウンド・ライトスピーカＳＲから出力される音と、の混合音を拾う（ピックアップする）。ここで、マイク１１０は指向性を有しており、所定方向、例えばマイク１１０の前方の音源から到来する音を相対的に大きな音量で収音し、所定方向以外の方向の音源から到来する音を相対的に小さな音量で収音する。このため、マイク１１０により収音された音には、サラウンド・レフトスピーカＳＬから出力される音の方が、サラウンド・ライトスピーカＳＲから出力される音より、相対的に大きな音量で含まれることになる。このため、スピーカの接続状態が正常であれば、同図（ａ）に示す波形と同図（ｃ）に示す波形との類似性（どれだけ類似しているか）を示す類似度αＬは、同図（ｂ）に示す波形と同図（ｃ）に示す波形との類似性を示す類似度αＲより大きくなる。ここで、類似度αＬ，αＲは、２つの波形の相互相関関数（変数τだけずらした２つの波形の畳み込み積分）の最大値であってもよいし、２つの波形の類似度を評価するその他の関数を用いて決定されてもよい。本開示に係る処理によれば、マイク１１０の方向に配置されたスピーカから出力されるべき音の波形と、該マイク１１０により取得される混合音の波形と、の類似度が、他のスピーカから出力されるべき音の波形と、マイク１１０により取得される混合音の波形との類似度より大きければ、マイク１１０の方向に配置されたスピーカは正しく接続されていると判断する。
【００１９】
図３は、音響装置１００のハードウェア構成を示す図である。同図に示すように、音響装置１００は、バスに接続された音響出力部１０１、表示部１０２、操作部１０３、マイクインタフェース１０４、ＣＰＵ１０５、メモリ１０６及び通信部１０７を含んでいる。すなわち、音響装置１００は、ＣＰＵ１０５及びメモリ１０６を備え、コンピュータとしての機能を有している。
【００２０】
音響出力部１０１は、ＣＤやＤＶＤ、ブルーレイなどのメディアからコンテンツを読み出したり、通信部１０７を介してコンテンツを受信したりして、こうして取得されるコンテンツを再生する。このとき、音響出力部１０１は、取得したコンテンツに含まれる複数チャンネルの音データを音信号に変換し、それぞれのチャンネルのスピーカ端子から出力する。なお、ここでは各スピーカがケーブルにより物理的なスピーカ端子のそれぞれに接続されているものとするが、各スピーカが通信部１０７による無線通信を利用して、音響出力部１０１に接続されてもよい。この場合も、各スピーカには、コンテンツに含まれる複数チャンネルのうちいずれかが論理的に割当られる。そして、本開示に係るスピーカ接続状態判定処理は、ケーブルによる接続の場合のみならず、無線通信による接続の場合にも適用されてよい。
【００２１】
表示部１０２は、ＬＣＤ（Liquid Crystal Display）やＯＬＥＤ（Organic Light Emitting Diode）などの表示デバイスを含んでおり、ＣＰＵ１０４からの指示に従って各種情報を表示する。操作部１０３は、物理キーやタッチパネルを含んで構成され、ユーザＵが音響装置１００を操作するのに用いられる。
【００２２】
マイクインタフェース１０４は、マイク端子及びアナログ−デジタル変換部を含んでおり、マイク１１０から入力されるアナログ音信号がデジタル形式に変換される。変換により生成された音データはＣＰＵ１０５に受け渡される。なお、マイク１１０は、通信部１０７による無線通信を利用して、音響装置１００に接続されてよい。この場合、音響装置１００は、マイク１１０からデジタル形式の音データを受信してもよい。例えば、マイク１１０はスマートフォンやタブレットなどの可搬型コンピュータの内蔵マイクであってよく、この場合には、内蔵マイクを用いて生成されたデジタル形式の音データが、この可搬型コンピュータから無線ＬＡＮや公衆電話網などを経由して音響装置１００に送信される。
【００２３】
ＣＰＵ１０５は、内蔵プログラムに従って、音響装置１００の各部を制御する。特に、ＣＰＵ１０５は、この内蔵プログラムに従って、上述のスピーカ接続状態判定処理を行う。メモリ１０６は内蔵プログラムを記憶したり、ＣＰＵ１０５の作業領域が確保されたりする。通信部１０７は、有線ＬＡＮや無線ＬＡＮなどの通信モジュールを含んで構成されており、インターネットを介してコンテンツなどのデータを受信するのに用いられる。また、マイク１１０や各スピーカが無線通信可能である場合、それらとのデータ通信に用いられてもよい。内蔵プログラムは、例えば通信部１０７を用いてインターネットからダウンロードされてもよいし、半導体メモリなどの外部記憶媒体からインストールされてもよい。
【００２４】
図４は、音響装置１００に含まれるＣＰＵ１０５を機能的に示すブロック図である。同図には、ＣＰＵ１０５で実現される各種機能のうち、スピーカの接続状態判定処理に係るものだけが示されている。同図に示された機能は、メモリ１０６に記憶された内蔵プログラムをＣＰＵ１０５が実行することにより実現される。
【００２５】
音データ取得部１０５ａは、サラウンド・レフトスピーカＳＬに向けて配置されるマイク１１０により収音される、サラウンド・レフトスピーカＳＬから出力される音データＳＬの再生音と、サラウンド・ライトスピーカＳＲから出力される音データＳＲの再生音と、の混合音のデータである収音データを取得する。例えば、音データ取得部１０５ａは、マイクインタフェース１０４においてマイク１１０から入力される音信号がアナログデジタル変換されることにより、上記収音データが生成されると、音データ取得部１０５ａはこれを取得する。音データ取得部１０５ａは、マイク１１０により収音がされた区間において音響装置１００で再生された音データＳＬ及びＳＲも取得する。
【００２６】
類似度計算部１０５ｂは、収音データと音データＳＬとの類似性を示す類似度αＬ、及び収音データと音データＳＲとの類似性を示す類似度αＲをそれぞれ計算する。また、判定部１０５ｃは、類似度αＬ及び類似度αＲに基づいて、サラウンド・レフトスピーカＳＬ及びサラウンド・ライトスピーカＳＲの接続状態を判定する。例えば、サラウンド・レフトスピーカＳＬ及びサラウンド・ライトスピーカＳＲが、それぞれＳＬチャンネル及びＳＲチャンネルに正しく接続されているか否かを判定する。ここでは、判定部１０５ｃは、類似度αＬと類似度αＲとを比較し、比較結果に基づいて、サラウンド・レフトスピーカＳＬ及びサラウンド・ライトスピーカＳＲの接続状態を判定する。
【００２７】
また、チャンネル切替部１０５ｄは、判定部１０５ｃによる判定に応じて、音データＳＬの再生音をサラウンド・ライトスピーカＳＲから出力し、音データＳＲの再生音をサラウンド・レフトスピーカＳＬから出力する。ここでは、チャンネル切替部１０５ｄは、スピーカ端子のうちＳＬ端子にＳＲチャンネルの音信号を出力し、ＳＲ端子にＳＬチャンネルの音信号を出力するよう、音響出力部１０１に指示する。音響出力部１０１は、この指示に従ってＳＬ端子及びＳＲ端子に出力する音信号を入れ替える。なお、チャンネル切替部１０５ｄの機能は必須ではなく、表示部１０２によりスピーカが誤って接続されている旨のメッセージを表示し、ユーザＵに接続のやり直しを促すようにしてもよい。また、サラウンド・レフトスピーカＳＬとサラウンド・ライトスピーカＳＲが、通信部１０７による無線通信を利用して音響出力部１０１に接続されている場合には、チャンネル切替部１０５ｄは、各スピーカに割り当てられたチャンネルを入れ替えるよう、音響出力部１０１に指示する。これにより、音響出力部１０１は、チャンネルサラウンド・レフトスピーカＳＬに音データＳＲを送信し、サラウンド・ライトスピーカＳＲに音データＳＬを送信する。こうして、音データＳＲの再生音がサラウンド・レフトスピーカＳＬから出力され、音データＳＬの再生音がサラウンド・ライトスピーカＳＲから出力される。
【００２８】
図５は、音響装置１００によるスピーカの接続状態判定処理を示すフロー図である。同図に示すように、接続状態判定処理では、まず音データ取得部１０５ａがデジタル形式に変換されたマイク１１０の収音データ、マイク１１０により収音がされた区間に音響出力部１０１で再生されたＳＬチャンネルの音データＳＬ、同区間に再生されたＳＲチャンネルの音データＳＲを取得する（Ｓ１０１）。
【００２９】
次に、類似度計算部１０５ｂは、音データＳＬと収音データとの類似度αＬを計算する（Ｓ１０２）。同様に、類似度計算部１０５ｂは、音データＳＲと収音データとの類似度αＲを計算する（Ｓ１０３）。これらの類似度は上述のように相互相関関数の最大値であってよい。
【００３０】
次に、判定部１０５ｃは、類似度αＬが類似度αＲより大きいか否かを判断する（Ｓ１０４）。そして、類似度αＬの方が大きければ、表示部１０２に「スピーカの接続状態は正常です。」などのメッセージを出力し（Ｓ１０５）、処理を終了する。一方、類似度αＬが類似度αＲ以下であれば、表示部１０２に「スピーカの接続状態は異常です。」などのメッセージを出力する（Ｓ１０６）。この場合、チャンネル切替部１０５ｄは、音響出力部１０１に、ＳＬチャンネルとＳＲチャンネルの入替えを指示する（Ｓ１０７）。
【００３１】
以上のようにして、音楽や映像のコンテンツに含まれるＳＬチャンネル及びＳＲチャンネルの音データを用いて、短時間でサラウンド・レフトスピーカＳＬ及びサラウンド・ライトスピーカＳＲの接続状態を判定することができる。ここではサラウンド・レフトスピーカＳＬ及びサラウンド・ライトスピーカＳＲのみ、接続状態の判定を行ったが、他のスピーカも同様にして接続状態を判定できる。すなわち、スピーカがＮ本ある場合も、同様に、それらのうちＮ−１本に対してマイク１１０を順に向け、マイク１１０の方向に対応するチャンネルの音データと収音データの類似度、その他のチャンネルの音データと収音データの類似度をそれぞれ計算し、両類似度を比較することで、すべてのスピーカの接続状態を判定することができる。あるいは、Ｎ−１本のマイク１１０を用意して、それらにより同時に各混合音を収音してもよい。
【００３２】
なお、ここでは音楽や映像のコンテンツを用いてスピーカの接続状態を判定したが、専用コンテンツを用いてスピーカの接続状態を判定してよい。この場合、各チャンネルの音データは相互に類似しないことが望ましい。また、低周波数の音成分はマイク１１０が向けられた方向以外の位置からも該マイク１１０に到達しやすいことから、各チャンネルの音データは低周波数の音成分ができるだけ少ないものが望ましい。
【００３３】
そこで、音楽や映像のコンテンツを用いてスピーカの接続状態判定を行う場合には、各チャンネルの音データや収音データにハイパスフィルタ適用し、低周波数スペクトルを抑制してもよい。また、チャンネル間の音データの類似度を計算し、この類似度が所定値より低い場合にだけ、上述した判定を行うことにしてもよい。
【００３４】
図６は、音響装置１００によるスピーカの接続状態処理の変形例を示すフロー図である。同図において、Ｓ１０１、及びＳ１０２乃至Ｓ１０７の処理は、図５に示すフロー図の対応する処理と同様であるので、ここでは説明を省略する。
【００３５】
この変形例においては、類似度計算部１０５ｃは、収音データ、音データＳＬ及びＳＲの低周波数スペクトルを抑制する周波数フィルタ（ハイパスフィルタ）処理を行う（Ｓ１０１Ａ）。そして、周波数フィルタが適用された音データＳＬの一部区間と、周波数フィルタが適用された音データＳＲの対応する区間と、の類似度βを計算する。この類似度βも、上述した相互相関関数の最大値であってよい。そして、類似度βが所定値未満であるか否かを判断する。類似度βが所定値未満でなければ、音データＳＬ及び音データＳＲの区間をずらしながら、同じ処理を繰り返す。こうして、音データＳＬ及び音データＳＲとで、類似度が所定値未満である区間を探す（Ｓ１０１Ｂ）。このような区間がなければ、例えば表示部１０２により、「もう一度マイクで収音して下さい。」などのメッセージを表示し、マイク１１０による収音を再度行う。こうして、Ｓ１０１以降の処理を再実行する。
【００３６】
Ｓ１０１で取得された音データＳＬ及び音データＳＲに、類似度が所定値未満である区間があると判断されれば（Ｓ１０１Ｂ）、同区間の音データＳＬ及び音データＳＲの平均音量を計算する。そして、同区間の収音データを切り出すとともに、その音量を上記平均音量に変更する。こうして、音データＳＬ及びＳＲ、収音データの音量を正規化する（Ｓ１０１Ｃ）。その後、以上のようにして周波数フィルタ、類似度βに基づく一部区間の抽出、正規化が適用された収音データ、音データＳＬ及びＳＲに基づき、Ｓ１０２乃至Ｓ１０７の処理を実行する。
【００３７】
以上の処理によれば、音楽や映像の任意のコンテンツを用いてスピーカの接続状態判定を行う場合に、その判定精度を向上できる。
【００３８】
なお、以上の説明では、図４に示す各機能が音響装置１００で実装される例について説明したが、その一部又は全部を他の装置で実装されてもよい。例えば、スピーカ１１０をスマートフォンやタブレットなどの可搬型コンピュータの内蔵マイクとするとともに、この可搬型コンピュータで図４に示す機能の一部又は全部が実装されてよい。また、一部の機能はインターネット上のサーバコンピュータ（例えばクラウドサーバ）で実装されてもよい。
【符号の説明】
【００３９】
１００  音響装置、１０１  音響出力部、１０２  表示部、１０３  操作部、１０４  マイクインタフェース、１０５  ＣＰＵ、１０６  メモリ、１０７  通信部。
【図１】
2019161292.tif 000003
【図２】
2019161292.tif 000004
【図３】
2019161292.tif 000005
【図４】
2019161292.tif 000006
【図５】
2019161292.tif 000007
【図６】
2019161292.tif 000008